(57)【要約】【課題】ユーザーに眼の画像が表示されることによる違和感を与えることなく虹彩認証を適切に実行することが可能な生体認証装置する。【解決手段】生体認証装置を、ユーザーの眼に赤外光を照射する赤外光照射部と、赤外光が照射された眼を撮像する撮像部と、眼の鏡像を反射して表示可能なパネルを有し、撮像された眼の画像と眼の位置合わせ用の画像とを表示する表示部と、生体認証装置の使用状況に応じて、表示部における撮像された眼の画像の表示を非表示状態とする表示制御部と、撮像された眼の画像に基づいて虹彩認証を行う認証部と、を有し、表示制御部が眼の画像の表示を非表示状態としたときに、パネルに眼の鏡像が形成される生体認証装置とする。【選択図】図５
2017054179.tif 000002
【特許請求の範囲】
【請求項１】
生体認証装置であって、
ユーザーの眼に赤外光を照射する赤外光照射部と、
前記赤外光が照射された前記眼を撮像する撮像部と、
前記眼の鏡像を反射して表示可能なパネルを有し、前記撮像された前記眼の画像と前記眼の位置合わせ用の画像とを表示する表示部と、
前記生体認証装置の使用状況に応じて、前記表示部における前記撮像された前記眼の画像の表示を非表示状態とする表示制御部と、
前記撮像された前記眼の画像に基づいて虹彩認証を行う認証部と、
を有し、
前記表示制御部が前記眼の画像の表示を非表示状態としたときに、前記パネルに前記眼の鏡像が形成される
ことを特徴とする生体認証装置。
【請求項２】
前記撮像部の光軸方向は、前記撮像された前記眼の画像内の眼が前記眼の位置合わせ用の画像の所定領域内にあるときに、前記眼の鏡像内の眼が前記所定領域内にあるように設定されている、ことを特徴とする請求項１に記載の生体認証装置。
【発明の詳細な説明】
【技術分野】
【０００１】
本件開示の技術は、生体認証装置に関する。
【背景技術】
【０００２】
生体認証を利用する装置における認証方法の１つに虹彩認証がある。虹彩認証においては、認証対象のユーザーの虹彩の画像を取得するため、ユーザーの眼に赤外光を照射した状態において赤外線カメラによりユーザーの虹彩を撮影する技術がある（例えば、特許文献１）。そして、スマートフォンやタブレット端末などの携帯端末装置においても虹彩認証が採用されつつある。
【０００３】
ユーザーは、端末装置において虹彩認識を利用する際に、赤外線カメラと眼の位置関係を調整する。このとき、端末装置の表示部に、赤外線カメラで撮影されたユーザーの眼の画像と眼の位置合わせ用のガイド枠を重ねた画像とが表示される。そして、ユーザーは、表示部に表示された画像を確認しながら、画像内の眼がガイド枠内に収まるように端末装置の向きなどを調整する。
【先行技術文献】
【特許文献】
【０００４】
【特許文献１】特開平１１−３４７０１６号公報
【発明の概要】
【発明が解決しようとする課題】
【０００５】
しかしながら、例えば電車内や雑踏の中などの公共の場所で端末装置が使用される場合など、端末装置の使用環境によっては、表示部に眼の画像が表示されることがユーザーに好まれない場合がある。また、赤外線カメラで撮影された画像は、コントラストおよび色彩が実物とは異なるため、表示部に表示される眼の画像がユーザーに違和感を与えることがある。この理由から、表示部に眼の画像が表示されることがユーザーに好まれない場合がある。
【０００６】
一方で、端末装置における虹彩認証時にユーザーの眼の画像を非表示にすると、ユーザーにとっては、眼を赤外線カメラの画角内の適切な位置に合わせることが難しくなる。この結果、ユーザーの虹彩を端末装置に登録する際に時間がかかる場合、虹彩認証が成功しない場合、認証成功までに時間がかかる場合などがある。
【０００７】
本件開示の技術は、上記の事情に鑑み、眼の画像が表示されることによりユーザーに与える違和感を抑制して虹彩認証を適切に実行することが可能な生体認証装置を提供することを目的とする。
【課題を解決するための手段】
【０００８】
本件開示の生体認証装置は、１つの側面では、ユーザーの眼に赤外光を照射する赤外光照射部と、赤外光が照射された眼を撮像する撮像部と、眼の鏡像を反射して表示可能なパネルを有し、撮像された眼の画像と眼の位置合わせ用の画像とを表示する表示部と、生体認証装置の使用状況に応じて、表示部における撮像された眼の画像の表示を非表示状態とする表示制御部と、撮像された眼の画像に基づいて虹彩認証を行う認証部と、を有し、表示制御部が眼の画像の表示を非表示状態としたときに、パネルに眼の鏡像が形成される。
【発明の効果】
【０００９】
本件開示の技術によれば、眼の画像が表示されることによりユーザーに与える違和感を抑制して虹彩認証を適切に実行することが可能な生体認証装置を提供することができる。
【図面の簡単な説明】
【００１０】
【図１】図１は、一実施形態における携帯端末装置の構成を例示する構成図である。
【図２】図２は、一実施形態における携帯端末装置の外観を例示する正面図である。
【図３】図３は、一実施形態における携帯端末装置とユーザーの眼の位置関係を例示する模式図である。
【図４】図４は、一実施形態における携帯端末装置の画面表示を例示する図である。
【図５】図５は、一実施形態における携帯端末装置の保護パネルに形成される鏡像を例示する図である。
【図６】図６は、一実施形態において携帯端末装置が実行する処理のフローチャートを例示する図である。
【図７】図７は、一実施形態において携帯端末装置が実行する処理のフローチャートを例示する図である。
【図８】図８は、一実施形態において携帯端末装置が実行する処理のフローチャートを例示する図である。
【発明を実施するための形態】
【００１１】
以下、本件開示の技術に係る実施形態について図面を参照しながら説明する。なお、以下の詳細な説明は例示的なものであり、実施形態の構成を限定するものではない。
【００１２】
（第１の実施形態）
第１の実施形態における生体認証装置の一例である携帯端末装置１について説明する。図１の概略構成図に示すように、本実施形態に係る携帯端末装置１は、Central Processing Unit（ＣＰＵ）１０、ディスプレイ２０、メモリ３０、照度センサ４０、赤外線Light
Emitting Diode（ＬＥＤ）５０、赤外線カメラ６０、ボタン７０、アンテナ８０、通信
制御部９０を有する。
【００１３】
ＣＰＵ１０は、携帯端末装置１内の各部の動作を制御して以下に説明する処理を実現する。ディスプレイ２０は、保護パネル２０ａ、タッチパネル２０ｂ、液晶パネル２０ｃを有する。タッチパネル２０ｂは液晶パネル２０ｃの上に重なるように配置されている。タッチパネル２０ｂは、ユーザーの指などによるタッチ位置を検出する。また、タッチパネル２０ａの上には保護パネル２０ａが重なるように配置されている。保護パネル２０ａは、ガラスまたはアクリル樹脂などの素材により形成されているため、保護パネル２０ａの表面は光沢を有する。すなわち、保護パネル２０ａは、携帯端末装置１の外部から入射する光の一部を反射する。なお、保護パネル２０ａが、ユーザーの眼の鏡像を反射して表示可能なパネルの一例に相当する。液晶パネル２０ｃは、赤外線カメラ６０により撮像された画像を表示する。また、液晶パネル２０ｃは、ユーザーが携帯端末装置１を操作するためのユーザーインターフェイスや携帯端末装置１における各種処理の結果を表示する。なお、液晶パネル２０ｃが、撮像された眼の画像と眼の位置合わせ用の画像とを表示する表示部の一例に相当する。また、ＣＰＵ１０が、表示部における撮像された眼の画像の表示を非表示状態とする表示制御部および撮像された眼の画像に基づいて虹彩認証を行う認証部の一例に相当する。
【００１４】
メモリ３０には、ＣＰＵ１０によって実行される各種アプリケーションおよびＣＰＵ１０による演算結果のデータが格納される。アプリケーションには、携帯端末装置１のロックを解除するための虹彩認証を実行するアプリケーションが含まれる。照度センサ４０は、照度センサ４０の受光素子（図示せず）に入射した光を電流に変換することで、携帯端末装置１の周囲の明るさを検知する。赤外線ＬＥＤ５０は、赤外光を発光する発光素子で
ある。本実施形態では、赤外線ＬＥＤ５０によってユーザーの眼に赤外光が照射され、赤外線カメラ６０によって赤外光が照射されたユーザーの眼が撮像される。なお、赤外線ＬＥＤ５０が、ユーザーの眼に赤外光を照射する赤外光照射部の一例に相当する。また、赤外線カメラ６０が、赤外光が照射された眼を撮像する撮像部の一例に相当する。
【００１５】
赤外線カメラ６０の撮像素子６０ａは、撮像されたユーザーの眼の画像データを出力する。また、ボタン７０は、携帯端末装置１がロックされているときに、ロックの解除処理を開始するためのボタンである。なお、本実施形態では、ロックの解除処理において虹彩認証が実行される。すなわち、虹彩認証が成功したときに携帯端末装置１のロックが解除される。また、ボタン７０は、携帯端末装置１の種々の機能を実行するためにユーザーが操作するボタンでもある。アンテナ８０は、例えば携帯端末装置１が図示しない基地局との間でデータの送受信を行う。通信制御部９０は、例えば基地局との無線通信に関連する送受信処理や各種信号処理を行う。
【００１６】
図２は、本実施形態における携帯端末装置１の外観を示す正面図である。図２に示すように、携帯端末装置１の正面には、ディスプレイ２０、照度センサ４０、赤外線ＬＥＤ５０、赤外線カメラ６０、ボタン７０が設けられている。本実施形態では、赤外線ＬＥＤ５０によって赤外線が照射されたユーザーの眼が、赤外線カメラ６０によって撮像される。そして、赤外線カメラ６０により撮像されたユーザーの眼の画像がディスプレイ２０に表示される。したがって、ディスプレイ２０、赤外線ＬＥＤ５０、赤外線カメラ６０は、携帯端末装置１の筐体上の同一面に設けることが望ましい。
【００１７】
図２では、照度センサ４０およびボタン７０も携帯端末装置１の正面に設けられている。ただし、照度センサ４０は、虹彩認証時の携帯端末装置１の周囲の照度を測定できれば、携帯端末装置１の他の面に設けられていてもよい。また、ボタン７０もユーザーが虹彩認証時に操作可能な位置にあれば、携帯端末装置１の他の面に設けられていてもよい。
【００１８】
図３に、本実施形態の虹彩認証における、携帯端末装置１とユーザー１００との位置関係の一例を示す。本実施形態では、ユーザー１００は、携帯端末装置１を使用する際に虹彩認証を利用して携帯端末装置１のロックを解除する。ユーザー１００は、ディスプレイ２０のタッチパネル２０ｂやボタン７０を操作して、虹彩認証を開始する。そして、ユーザー１００は、携帯端末装置１を把持し、ディスプレイ２０が設けられている面をユーザー１００の顔に向ける。このとき、ユーザー１００は、眼１１０ａの高さと赤外線カメラ６０の高さとが合うように携帯端末装置１の位置を調整する。これにより、ユーザー１００は、赤外線カメラ６０の画角内にユーザー１００の眼１１０ａを収めることができる。
【００１９】
虹彩認証が開始されると、赤外線ＬＥＤ５０から赤外光が発光される。赤外線ＬＥＤ５０から発光された赤外光は、ユーザー１００の眼１１０ａに照射される。そして、赤外線ＬＥＤ５０から赤外光が発光されているときに、赤外線カメラ６０によりユーザー１００の眼１１０ａが撮像される。携帯端末装置１では、赤外線カメラ６０によって撮像された眼１１０ａの画像に基づいて虹彩認証が実行される。赤外線カメラ６０により撮像された眼１１０ａの画像は、ＣＰＵ１０により虹彩認証に使用される。ＣＰＵ１０は、撮像された画像の所定領域内に存在する虹彩パターンに基づいて虹彩認証を行う。
【００２０】
図４に、携帯端末装置１において虹彩認証が実行中であるときのディスプレイ２０の表示状態の一例を示す。図４に示すように、赤外線カメラ６０により撮像された眼１１０ａの画像は、液晶パネル２０ｃに表示される。本実施形態では、赤外線カメラ６０により眼１１０ａの画像が連続的に撮像され、撮像された画像が連続的に液晶パネル２０ｃに表示される。ユーザー１００は、ディスプレイ２０において、液晶パネル２０ｃに表示される眼１１０ｂの画像を確認する。液晶パネル２０ｃには、撮像された画像内の眼１１０ｂが
上記の所定領域内に収まるようにユーザー１００を促すための位置合わせ用のガイド枠１２０が、当該領域と重なるように表示される。なお、ガイド枠１２０が、眼の位置合わせ用の画像の所定領域の一例に相当する。ユーザー１００は液晶パネル２０ｃに表示されている眼１１０ｂがガイド枠１２０内に収まるように、携帯端末装置１の位置や向きを調整する。図４には、液晶パネル２０ｃに表示されている眼１１０ｂがガイド枠１２０内に収まっている状態を示す。
【００２１】
本実施形態では、虹彩認証の実行前に、あらかじめユーザー１００の眼１１０ａの虹彩パターンがメモリ３０に記憶されている。例えば、ユーザー１００は携帯端末装置１を使用して眼１１０ａを撮像することで、眼１１０ａの虹彩パターンを携帯端末装置１に登録する。そして、登録対象の虹彩パターンのデータがメモリ３０に記憶される。
【００２２】
ＣＰＵ１０は、赤外線カメラ６０により撮像された画像内の眼１１０ｂの虹彩パターンとメモリ３０に記憶された眼１１０ａの虹彩パターンとを比較する。ＣＰＵ１０は、互いの虹彩パターンの一致率が所定の閾値以上であるか否かを判定する。虹彩パターンの一致率が所定の閾値以上である場合に、ＣＰＵ１０は、虹彩認証が成功したと判断し、携帯端末装置１のロックを解除する。
【００２３】
図５に、液晶パネル２０ｃに表示されている眼１１０ｂを含むユーザーの顔画像が非表示にされた場合のディスプレイ２０の表示状態の一例を示す。本実施形態では、液晶パネル２０ｃの発光輝度が略ゼロにされることで、液晶パネル２０ｃによる画像表示が非表示にされる。本実施形態におけるディスプレイ２０の保護パネル２０ａはガラスやアクリル樹脂などの素材で形成されているため、携帯端末装置１の外部から保護パネル２０ａに入射した光は、その一部が反射される。したがって、ユーザー１００が図３に示すように携帯端末装置１を把持しているときに、液晶パネル２０ｃによる画像表示が非表示にされると、保護パネル２０ａの表面にはユーザー１００の眼１１０ｃを含む顔の鏡像１３０が形成される。そして、ユーザー１００は、保護パネル２０ａの表面に形成された鏡像１３０内の眼１１０ｃの位置を確認することができる。なお、保護パネル２０ａによって反射される鏡像１３０は、ユーザー１００が色彩を視認することはできなくとも眼１１０ｃの位置を把握するには充分鮮明である。
【００２４】
本実施形態では、液晶パネル２０ｃにより表示される画像における眼１１０ｂの位置と保護パネル２０ａに形成される鏡像１３０における眼１１０ｃの位置とが略一致するように、携帯端末装置１の各部の位置などがあらかじめ設定されている。具体的には、赤外線カメラ６０の光軸方向が、赤外線カメラ６０により撮像された眼１１０ｂの画像内の眼がガイド枠１２０内にあるときに、眼の鏡像１３０内の眼１１０ｃがガイド枠１２０内にあるように設定されている。同様に、赤外線ＬＥＤ５０の光軸方向、赤外線カメラ６０の画角、液晶パネル２０ｃに表示される赤外線カメラ６０により撮像された画像のサイズなども、あらかじめ設定されている。このため、液晶パネル２０ｃに表示されている眼１１０ｂの画像が非表示にされると、ユーザー１００は、保護パネル２０ａに形成される鏡像１３０内に、表示されていた画像内の眼１１０ｂと大きさと位置が略同じ眼１１０ｃを視認することができる。
【００２５】
また、本実施形態では、図５に示すように、液晶パネル２０ｃにおいて、眼１１０ｂを含むユーザーの顔画像が非表示にされた場合でもガイド枠１２０は表示され続ける。すなわち、液晶パネル２０ｃにおいて画像表示が非表示にされるときに、ガイド枠１２０を除く領域の輝度が略ゼロに設定される。これにより、ユーザー１００は、液晶パネル２０ｃに眼１１０ｂが表示されない場合でも、保護パネル２０ａに形成される鏡像１３０内の眼１１０ｃがガイド枠１２０内に収まるように携帯端末装置１の向きなどを調整して虹彩認証を行うことができる。
【００２６】
次に、図６に示すフローチャートを参照しながら本実施形態における携帯端末装置１のＣＰＵ１０が実行する処理について説明する。本実施形態では、携帯端末装置１が電車内にあるか否かが判定される。なお、携帯端末装置１が電車内にあるか否かが生体認証装置の使用状況の一例に相当する。そして、ユーザー１００内が電車内にいると判定された場合に、液晶パネル２０ｃにおける画像表示が非表示にされ、液晶パネル２０ｃにはガイド枠１２０が表示され続ける。これにより、携帯端末装置１を使用するユーザー１００に、電車内でディスプレイ２０にユーザー１００の顔の画像が表示されることによる違和感を与えることなく、携帯端末装置１における虹彩認証を実行することができる。なお、図６に示すフローチャートの処理が開始される前に、携帯端末装置１のロックが有効になっているものと想定する。
【００２７】
ＯＰ１０１において、ＣＰＵ１０は、携帯端末装置１のボタン７０が操作されたことを検出する。本実施形態では、ユーザー１００が携帯端末装置１のロックを解除するためにボタン７０を操作すると、ＯＰ１０１においてボタン７０の操作が検出される。ＯＰ１０１では、携帯端末装置１のロックが有効になっているため、ＣＰＵ１０はボタン７０の操作をトリガとして、メモリ３０に記憶されている虹彩認証を実行するアプリケーションを起動する。
【００２８】
次いで、ＣＰＵ１０は、携帯端末装置１が現在電車内にあるか否かを判定する（ＯＰ１０２）。例えば、ＣＰＵ１０は、電車の平均的な速度、平均的な駅数、平均的な停車時間、基地局の平均的な電波圏範囲などに基づいて、携帯端末装置１の受信チャネルの切替が所定時間内に行われたか否かを判定する。そして、ＣＰＵ１０は、携帯端末装置１の受信チャネルの切替が所定時間内に行われた場合に、携帯端末装置１が電車内にあると判定する。なお、携帯端末装置１が電車内にあるか否かの判定は周知の技術を用いて実現できるため、ここでは詳細な説明は省略する。ＣＰＵ１０は、携帯端末装置１が電車内にあると判定した場合は（ＯＰ１０２：Ｙｅｓ）、処理をＯＰ１０３に進める。一方、ＣＰＵ１０は、携帯端末装置１が電車内にないと判定した場合は（ＯＰ１０２：Ｎｏ）、処理をＯＰ１０４に進める。
【００２９】
ＯＰ１０３では、ＣＰＵ１０は、液晶パネル２０ｃにおいてガイド枠１２０以外の領域の画素の輝度値を略ゼロに設定し、液晶パネル２０ｃにおいてガイド枠１２０以外の画像表示を非表示にする。これにより、液晶パネル２０ｃにおいて、ガイド枠１２０以外の部分は黒色表示に近い状態となり、黒色の背景にガイド枠１２０が表示される状態となる。したがって、本実施形態によれば、ユーザー１００が電車内において携帯端末装置１の虹彩認証を行う際に、液晶パネル２０ｃに顔の画像が表示されることによる違和感をユーザー１００に与える懸念は生じない。また、液晶パネル２０ｃにおいてガイド枠１２０以外の領域の輝度が低下するため、ユーザー１００は、保護パネル２０ｃに形成されるユーザー１００の顔の鏡像１３０を視認することができる。そして、ユーザー１００は、鏡像１３０内の眼１１０ｃをガイド枠１２０内に収まるように携帯端末装置１の向きなどを調整して虹彩認証を行う。
【００３０】
ＯＰ１０４では、ＣＰＵ１０は、赤外線カメラ６０により撮像された画像およびガイド枠１２０を液晶パネル２０ｃに表示する。これにより、ユーザー１００は、赤外線カメラ６０により撮像された画像内の眼１１０ｂがガイド枠１２０内に収まるように携帯端末装置１の向きなどを調整して虹彩認証を行う。
【００３１】
ＯＰ１０３またはＯＰ１０４の処理の後、ＣＰＵ１０は、処理をＯＰ１０５に進める。ＯＰ１０５では、ＣＰＵ１０は赤外線カメラ６０により撮像された画像内の眼１１０ｂの虹彩パターンに基づいて虹彩認証を実行する。虹彩認証が成功した場合は（ＯＰ１０５：
Ｙｅｓ）、ＣＰＵ１０は、携帯端末装置１のロックを解除し（ＯＰ１０６）、本フローチャートの処理を終了する。一方、虹彩認証が失敗した場合は（ＯＰ１０５：Ｎｏ）、ＣＰＵ１０は、携帯端末装置１のロックを維持し（ＯＰ１０７）、本フローチャートの処理を終了する。
【００３２】
本実施形態によれば、ユーザー１００は、電車内で携帯端末装置１の虹彩認証を行う場合に、液晶パネル２０ｃにユーザー１００の顔の画像が表示されることによる違和感を受けることなく虹彩認証を行うことができる。
【００３３】
（第２の実施形態）
次に、第２の実施形態について、図面を参照しながら説明する。なお、以下の説明において、第１の実施形態と同様の構成については同一の符号を付し、詳細な説明は省略する。第２の実施形態に係る携帯端末装置１では、照度センサ４０によって検出された照度に基づいて、液晶パネル２０ｃにおける赤外線カメラ６０により撮像された画像の表示が変更される。
【００３４】
図７に、本実施形態においてＣＰＵ１０が実行する処理のフローチャートを示す。なお、以下の説明では、第１の実施形態との相違点について説明する。
【００３５】
ＯＰ１０１は、第１の実施形態におけるＯＰ１０１の処理である。ＯＰ１０１の処理の後、ＣＰＵ１０は、照度センサ４０による照度の測定値が閾値以下であるか否かを判定する（ＯＰ２０２）。照度の測定値が閾値以下であるか否かが生体認証装置の使用状況の一例に相当する。ここで閾値としては、ユーザー１００が、図３に示すように携帯端末装置１を把持したときに、液晶パネル２０ｃにおける画像表示が非表示の状態において、ユーザー１００が保護パネル２０ａに形成される顔の鏡像１３０を視認できなくなる程度の照度が採用されればよい。照度の測定値が閾値以下である場合は（ＯＰ２０２：Ｙｅｓ）、ＣＰＵ１０は処理をＯＰ１０４に進める。一方、照度の測定値が閾値を超える場合は（ＯＰ２０２：Ｎｏ）、ＣＰＵ１０は処理をＯＰ１０３に進める。図７においてＯＰ１０３〜ＯＰ１０７の処理は、第１の実施形態におけるＯＰ１０３〜ＯＰ１０７の処理である。
【００３６】
本実施形態においては、照度センサ４０による照度の測定値が閾値以下である場合は、ユーザー１００が保護パネル２０ａに形成される顔の鏡像１３０を視認できないことに相当する。この場合は、液晶パネル２０ｃには赤外線カメラ６０により撮像された画像およびガイド枠１２０が表示される。したがって、ユーザー１００は液晶パネル２０ｃに表示された画像内の眼１１０ｂがガイド枠１２０内に収まるように携帯端末装置１の向きなどを調整して虹彩認証を行うことができる。
【００３７】
一方、照度センサ４０による照度の測定値が閾値を超える場合は、ユーザー１００が保護パネル２０ａに形成される顔の鏡像１３０を視認できることに相当する。この場合は、上記の通り液晶パネル２０ｃにはガイド枠１２０が表示され、ユーザー１００は、保護パネル２０ａに形成される鏡像１３０内の眼１１０ｃがガイド枠１２０内に収まるように携帯端末装置１の向きなどを調整して虹彩認証を行うことができる。
【００３８】
本実施形態によれば、ユーザー１００が保護パネル２０ａに形成される鏡像１３０を視認できる程度の照度がある環境で携帯端末装置１を使用する場合は、液晶パネル２０ｃにおいて赤外線カメラ６０により撮像された画像の表示が非表示にされる。このため、ユーザー１００は、液晶パネル２０ｃに赤外線カメラ６０により撮像された顔の画像が表示されることによる違和感を受けることなく、虹彩認証を行うことができる。一方で、ユーザー１００が例えば暗所に移動するなど照度が低下したときに携帯端末装置１の虹彩認証を行う場合には、液晶パネル２０ｃに赤外線カメラ６０により撮像された画像およびガイド
枠１２０が表示される。したがって、ユーザー１００は、照度が低下した環境で携帯端末装置１を使用する場合でも、適切に虹彩認証を行うことができる。
【００３９】
（第３の実施形態）
次に、第３の実施形態について、図面を参照しながら説明する。なお、以下の説明において、第１の実施形態と同様の構成については同一の符号を付し、詳細な説明は省略する。第３の実施形態では、ユーザー１００が、液晶パネル２０ｃにおける赤外線カメラ６０により撮像された画像の表示を変更することができる。
【００４０】
図８に、本実施形態においてＣＰＵ１０が実行する処理のフローチャートを示す。なお、以下の説明では、第１の実施形態との相違点について説明する。
【００４１】
ＯＰ１０１は、第１の実施形態におけるＯＰ１０１の処理である。ＯＰ１０１の処理の後、ＣＰＵ１０は、ＯＰ１０１におけるボタン７０の操作が長押しであるか否かを判定する（ＯＰ３０２）。具体的には、ＣＰＵ１０は、ＯＰ１０１におけるボタン７０の押下時間を計測し、押下時間が閾値以上である場合に長押しであると判定する。また、ＣＰＵ１０は、ボタン７０の押下時間が閾値未満である場合に短押し、すなわち長押しでないと判定する。なお、当該閾値は、一般的なボタンの押下時間の平均値などに基づいて適宜決定することができる。ボタン７０の操作が長押しである場合は（ＯＰ３０２：Ｙｅｓ）、ＣＰＵ１０は処理をＯＰ１０３に進める。一方、ボタン７０の操作が長押しでない場合は（ＯＰ３０２：Ｎｏ）、ＣＰＵ１０は処理をＯＰ１０４に進める。図８においてＯＰ１０３〜ＯＰ１０７の処理は、第１の実施形態におけるＯＰ１０３〜ＯＰ１０７の処理である。
【００４２】
本実施形態において、ユーザー１００は、液晶パネル２０ｃに赤外線カメラ６０により撮像された顔の画像を表示したくない場合にボタン７０を長押しすることで、鏡像内の眼１１０ｃおよびガイド枠１２０を用いた虹彩認証を行うことができる。また、ユーザー１００は、液晶パネル２０ｃに顔の画像が表示されてもよい場合はボタン７０を短押しすることで、上記の赤外線カメラ６０により撮像された画像内の眼１１０ｂおよびガイド枠１２０を用いた虹彩認証を行うことができる。したがって、本実施形態では、携帯端末装置１の虹彩認証において、ユーザー１００は、意図に反して液晶パネル２０ｃに赤外線カメラ６０により撮像された顔の画像が表示されることによる違和感を受ける懸念は生じない。
【００４３】
以上が本実施形態に関する説明であるが、上記の携帯端末装置１などの構成や処理は、上記の実施形態に限定されるものではなく、本発明の技術的思想と同一性を失わない範囲内において種々の変更が可能である。例えば、上記の実施形態における携帯端末装置１が電車内にあるか否かの判定は一例にすぎない。例えば、バスや公共施設など、電車内以外にも、携帯端末装置１において赤外線カメラ６０により撮像された画像が液晶パネル２０ｃに表示されることがユーザー１００に好まれない場所が特定できる場合もある。この場合、携帯端末装置１がそのような場所にあるか否かの判定に基づいて、液晶パネル２０ｃにおける赤外線カメラ６０により撮像された画像の表示を変更してもよい。
【００４４】
＜コンピュータが読み取り可能な記録媒体＞
コンピュータその他の機械、装置（以下、コンピュータ等）に上記情報処理装置の設定を行うための管理ツール、ＯＳその他を実現させるプログラムをコンピュータ等が読み取り可能な記録媒体に記録することができる。そして、コンピュータ等に、この記録媒体のプログラムを読み込ませて実行させることにより、その機能を提供させることができる。
【００４５】
ここで、コンピュータ等が読み取り可能な記録媒体とは、データやプログラム等の情報を電気的、磁気的、光学的、機械的、または化学的作用によって蓄積し、コンピュータ等
から読み取ることができる記録媒体をいう。このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ブルーレイディスク、ＤＡＴ、８ｍｍテープ、フラッシュメモリ等のメモリカード等がある。また、コンピュータ等に固定された記録媒体としてハードディスクやＲＯＭ等がある。
【００４６】
以上の実施形態に関し、さらに以下の付記を開示する。
【００４７】
（付記１）
生体認証装置であって、
ユーザーの眼に赤外光を照射する赤外光照射部と、
前記赤外光が照射された前記眼を撮像する撮像部と、
前記眼の鏡像を反射して表示可能なパネルを有し、前記撮像された前記眼の画像と前記眼の位置合わせ用の画像とを表示する表示部と、
前記生体認証装置の使用状況に応じて、前記表示部における前記撮像された前記眼の画像の表示を非表示状態とする表示制御部と、
前記撮像された前記眼の画像に基づいて虹彩認証を行う認証部と、
を有し、
前記表示制御部が前記眼の画像の表示を非表示状態としたときに、前記パネルに前記眼の鏡像が形成される
ことを特徴とする生体認証装置。
【００４８】
（付記２）
前記撮像部の光軸方向は、前記撮像された前記眼の画像内の眼が前記眼の位置合わせ用の画像の所定領域内にあるときに、前記眼の鏡像内の眼が前記所定領域内にあるように設定されている、ことを特徴とする付記１に記載の生体認証装置。
【符号の説明】
【００４９】
１    携帯端末装置
１０    ＣＰＵ
２０ａ    保護パネル
２０ｂ    タッチパネル
２０ｃ    液晶パネル
４０    照度センサ
５０    赤外線ＬＥＤ
６０    赤外線カメラ
７０    ボタン
【図１】
2017054179.tif 000003
【図２】
2017054179.tif 000004
【図３】
2017054179.tif 000005
【図４】
2017054179.tif 000006
【図５】
2017054179.tif 000007
【図６】
2017054179.tif 000008
【図７】
2017054179.tif 000009
【図８】
2017054179.tif 000010